(57)【要約】【課題】何等かの事情で、防塵具を着用せずに金属の研削作業等を行った為に、飛散した鉄粉等が眼球面に付着した場合に、これを安全、容易、確実に取り除くことの出来る、眼球面用の鉄粉除去具を創案する。【解決手段】瞼の周りを囲む様にして、目の部分に覆い被せるキャップ状体と、眼球面と対向する位置に於いて、キャップ状体に包埋させた永久磁石片とを備えることを特徴とする。  キャップ状体の内側面の、永久磁石片の埋設位置に対応した個所に、鉄粉等を付着させるシート状カバーを、着脱自在に添着させたことも特徴とする。  シート状カバーは、表面に粘着剤層を設けたり、光反射性シートを用いて眼球面を写す鏡としても役立てる様にするとよい。【選択図】図３
2005319017.tif 000002
【特許請求の範囲】
【請求項１】
鉄粉等の磁性を有する異物が、人の眼球面に付着した場合に、この異物を安全・確実に取り除く為に用いるものであって、
瞼の周りを囲む様にして、目の部分に覆い被せるキャップ状体と、眼球と対向する位置に於いて、キャップ状体に包埋させた永久磁石片とを備えることを特徴とする眼球面用の鉄粉除去具。
【請求項２】
キャップ状体の内側面の、永久磁石片と対向する個所に、シート状カバーを、着脱自在に添着させたことを特徴とする請求項１記載の眼球面用の鉄粉除去具。
【請求項３】
シート状カバーの表面に、粘着剤層を設けたことを特徴とする請求項２記載の眼球面用の鉄粉除去具。    
【請求項４】
シート状カバーは、光反射性を有して、眼球面の様子を写す鏡としての機能も備えることを特徴とする請求項２又は３記載の眼球面用の鉄粉除去具。
【発明の詳細な説明】
【技術分野】
【０００１】
本発明は、例えば、金属製部品の研削作業中に、飛散した鉄粉等の磁性を有する異物が作業者の眼球面に付着した場合に、この付着異物を安全・確実に、且つ、容易に取り除ける様にした、眼球面用の鉄粉除去具に関する。
【背景技術】
【０００２】
金属製部品の研削加工を行う作業現場では、飛散した鉄粉やその他の異物が、眼球面に付着したり直撃しない様に、例えば、溶接作業用の顔面防護具に類する防塵具を着用することを原則としている。
然しながら、その時々の作業状況によっては、防塵具の着用規則が厳格に守られないことも現実には起こり得る。
【０００３】
眼球面に付着した鉄粉や鉄片をそのまま放置すると、次第に鉄錆が発生して来る。
鉄イオンは、人体の細胞に対する毒性が強いので、放置した鉄粉によって角膜鉄錆症が発症し、視力低下を招く恐れが大きい。
従って、若し、眼球面に鉄粉等が付着してしまったら、付着による目の痛みを軽減させる為にも、とりあえず鉄粉等を早急に取り除く必要がある。
【発明の開示】
【発明が解決しようとする課題】
【０００４】
そこで、本発明の目的は、何等かの事情で、防塵具を着用しないままで、金属の研削作業等を行った為に、飛散した鉄粉等の磁性を有する異物が、眼球面に付着してしまった場合に、眼科医の検診・対応処置を受ける迄の応急対策として、この異物を、作業者自身でも、安全・確実に、且つ、容易に取り除くことの出来る、眼球面用の鉄粉除去具を創案するにある。
【課題を解決するための手段】
【０００５】
上記の目的を達成する為の、本発明による、眼球面用の鉄粉除去具は、
鉄粉等の磁性を有する異物が、人の眼球面に付着した場合に、この異物を安全・確実に取り除く為に用いるものであって、
瞼の周りを囲む様にして、目の部分に覆い被せるキャップ状体と、眼球と対向する位置に於いて、キャップ状体に包埋させた永久磁石片とを備えることを特徴とする。
そして、キャップ状体の内側面の、永久磁石片と対向する個所に、シート状カバーを、着脱自在に添着させたことも特徴とする。
又、シート状カバーの表面に、粘着剤層を設けたことも特徴とする。
更に、シート状カバーは、光反射性を有して、眼球面の様子を写す鏡としての機能を備えることも特徴とする。
【発明の効果】
【０００６】
本発明による眼球面用の鉄粉除去具は、以下に列挙した如き、実用上の優れた機能を備えている。
（ａ）鉄粉除去具を、目の部分に覆い被せる様にして当てがうだけで、眼球の表面に付着している鉄粉等の磁性を有する異物を、磁気吸引力によって、安全・確実に、且つ、容易・迅速に取り除くことが出来る。
（ｂ）従って、金属部品の研削作業時等に、鉄粉等の異物が眼球面に付着した場合には、眼科医の検診を受ける迄の間に、素人でも、取りあえずこの付着異物を取り除くという応急処置を行える。
（ｃ）キャップ状体の内側面の、永久磁石片と対向する位置に、シート状カバーを添着させて置けば、鉄粉等が、磁気吸引力により内側面に吸い付いた状態になって、除去具から払い落とし難くなる不具合を解消出来る。
（ｄ）シート状カバーの表面に、粘着剤層を設けて置けば、鉄粉等が付着しているシート状カバーを除去具から剥がし取る際に、折角補集した鉄粉等が、再び、除去具に吸い付いてしまう不具合も生じない。
（ｅ）シート状カバーに、光反射性を付与すれば、手元に鏡を持ち合わせていなくても、眼球面の様子を直ちに確認出来て便利である。
【発明を実施するための最良の形態】
【０００７】
以下に、本発明の一実施例に就いて、図１〜図４を参照しながら説明する。
図１は、この実施例の鉄粉除去具Ａの斜視図、図２は、シート状カバーの斜視図、図３は、その一半部を縦断面で示した側面図、図４は、鉄粉除去具の使用状態を示した見取図である。
【０００８】
鉄粉除去具Ａは、図４に示した様に、瞼１２の周りを囲む様にして、目の部分に覆い被せるキャップ状体１と、眼球面１１と対向する位置に於いて、図３に示した様に、キャップ状体１に包埋させた永久磁石片２とを備えている。
【０００９】
キャップ状体１は、例えば、シリコンゴムの様に、適度の柔軟性と剛性を併せ備えたゴム又はプラスチック製である。
キャップ状体１のうち、眼球面１１と正対する部分は厚肉に形成し、この厚肉部分１ａを取り巻く残余の周辺部分１ｂは、瞼１２の外周りの顔面に当接させる部分なので、薄肉に形成している。
【００１０】
永久磁石片２は、図３に示した様に、厚肉部分１ａに包埋させている。
又、キャップ状体１の内側面である、厚肉部分１ａの上面には、この上面に覆い被せるに足る大きさの、図２に示したシート状カバーＢを、添着させる様にしている。ｂは、シート状カバーＢに設けた摘みである。
【００１１】
シート状カバーＢの役割は、永久磁石片２の磁気吸引力によって、厚肉部分１ａの上面に吸い付けられた鉄粉等を、次に、鉄粉除去具Ａを使う時の為に、いざ、払い落とそうとしても、磁気吸引されている為に簡単には取り除けなくなってしまう不都合を、解消させるところにある。
【００１２】
然し、鉄粉等が付着したシート状カバーＢを、厚肉部分１ａの上面から剥離させる際に、シート状カバーＢの表面に単に付着しているだけの鉄粉等が、滑り落ちながら磁気吸引作用を受け、厚肉部分１ａの上面に引き付けられてしまう恐れが多分にある。
【００１３】
そこで、シート状カバーＢの表面には、付着した鉄粉等を粘着させて置く為の、粘着剤層（図示略）を設けるとよい。
更に、シート状カバーＢの裏面側にも、可剥性を有する粘着剤層（図示略）を設けて置けば、鉄粉除去具Ａの取り扱い中に、シート状カバーＢがズリ落ちてしまうを防げる。
【００１４】
更には、シート状カバーＢとして、市販の光反射性シートを用いたり、表面に金属の真空蒸着加工を施す等してもよい。
この様にすれば、シート状カバーＢが、眼球面１１の様子を写す鏡としても役立ってくれる。
【００１５】
次に、鉄粉除去具Ａ及びのシート状カバーＢの使い方に就いて説明する。
冒頭に記した様に、金属製部品の研削加工等を行う作業現場では、飛散した鉄粉等の異物が、眼球面に付着したり直撃しない様に、防塵具を着用することを原則としている。
然しながら、その時々の作業状況によっては、防塵具を着用せずに作業してしまうことも、間々起こり得る。
【００１６】
その様な場合には、飛散した鉄粉が、眼球面１１に付着する可能性が高い。
これを、そのまま放置すれば、既述の様に、目を健全な状態に保つ為の重大な障害となる。
そこで、若し、鉄粉等の磁性異物が眼球面に付着してしまったら、厚肉部分１ａの上面に新しいシート状カバーＢを添着させた鉄粉除去具Ａを、図４に示した様に、瞼１２の周りに覆い被せる様にして当てがう。
【００１７】
すると、永久磁石片２の強い磁気吸引力が、眼球面に付着していた鉄粉等の異物を、瞬時にして、永久磁石片２に向けて引き寄せる。
然し、永久磁石片２の前面にはシート状カバーＢが立ちはだかっている為、その表面に補足されることになる。
【００１８】
そこで、顔面に当てがっていた鉄粉除去具Ａを外したうえ、鉄粉等が粘着しているシート状カバーＢを鉄粉除去具Ａから剥離させて、ゴミとして廃棄処分すればよい。
上記した鉄粉除去具Ａの一連の使用操作は、秒単位の極く短時間で終えることが出来る。
【００１９】
それに対して、防塵具を着用して、金属製部品の研削作業等を行う場合には、気分的に煩わしいだけで無く、加工対象物（ワーク）を見辛くなって、作業の精度にも悪影響が生じ兼ねないし、又、作業能率の低下を招くことになる。
【図面の簡単な説明】
【００２０】
【図１】本発明の一実施例を示すもので、鉄粉除去具の斜視図である。
【図２】同上、シート状カバーの斜視図である。
【図３】同上、シート状カバーを添着させた鉄粉除去具を、その一半側部分を縦断面で示した側面図である。
【図４】同上、目の部分に鉄粉除去具を覆い被せた状態を示す見取図である。
【符号の説明】
【００２１】
Ａ  鉄粉除去具
Ｂ  シート状カバー
ｂ  摘み
１  キャップ状体
１ａ  厚肉部分
１ｂ  周辺部分
２  永久磁石片
１１  眼球面
１２  瞼
【図１】
2005319017.tif 000003
【図２】
2005319017.tif 000004
【図３】
2005319017.tif 000005
【図４】
2005319017.tif 000006